(57)【要約】      （修正有）【課題】電子デバイスを提供する。【解決手段】電子デバイスは、一組の電子構成部品、一組の電子構成部品を収容するハウジング素子を含み、当該ハウジング２は、上部パネル２０、底部パネル２３、正面パネル２１、背面パネル２４、左パネル２５及び右パネル２２を含み、デバイスは、エンベロプ３を含み、エンベロプは、ハウジングを包囲する。電子デバイスは、全体のエンベロプが、単一部分から構成され且つハウジングへ固定されることを特徴とする。【選択図】図２
2007142434.tif 000002
【特許請求の範囲】
【請求項１】
一組の電子構成部品を収容するハウジング素子（２）と、
前記のハウジングを包囲し且つ前記のハウジングへ固定される装飾用エンベロプであり、当該エンベロプは前記ハウジングへ締結されるまえに組み立てられて単一の部分を形成する手段を有する、ところの装飾用エンベロプ（３）と、
前記のエンベロプを前記ハウジングへ締結するクリッピング手段（５、７、８、９）と、
を有する、
電子デバイス（１）。
【請求項２】
前記クリッピング手段は、
前記エンベロプの少なくとも１つのクリップ（８）をマウントする前記ハウジングの底部パネル（２３）にある少なくとも１つのスロット構成（７）と、
前記エンベロプの少なくとも１つのクリップをマウントする前記ハウジングの上部パネル（２０）にある少なくとも１つのスロット構成（５）と、
を有することを特徴とする、先行する請求項に記載の電子デバイス。
【請求項３】
前記ハウジングはねじ穴（４）を有し、
前記エンベロプはねじ穴（６）を有し、且つ
前記エンベロプが前記ハウジングへクリップされるとき前記ねじ穴（４、６）は互いに面することを特徴とする、先行する請求項に記載の電子デバイス。
【請求項４】
前記ハウジング（２）は、
上部パネル（２０）と、
底部パネル（２３）と、
正面パネル（２１）と、
背面パネル（２４）と、
側面パネル（２２、２５）と、
を有し、且つ
前記エンベロプ（３）は、
上部パネル（３０）と、
底部パネル（３３）と、
正面パネル（３１）と、
背面パネル（３４）と、
側面パネル（３２、３５）と、
を有し、
前記エンベロプは前記ハウジング（２）の前記上部パネル（２０）、前記正面パネル（２１）、及び前記側面パネル（２２、２５）のみを包囲するようにすることを特徴とする、
先行する請求項の何れか一項に記載の電子デバイス。
【請求項５】
当該電子デバイスはセットトップボックスであることを特徴とする、
先行する請求項の何れか一項に記載の電子デバイス。
【請求項６】
一組の電子構成部品を収容するハウジング素子を包囲し且つ前記ハウジングへ固定されるよう意図する装飾用エンベロプ（３）であって、
前記ハウジングへ締結されるクリッピング手段と、
該クリッピング手段が前記ハウジングへ締結されるまえに組み立てられて単一の部分を形成する手段と、
を有することを特徴とする、装飾用エンベロプ。
【請求項７】
単一の部分から構成されるエンベロプ（３）を一組の電子構成部品を収容するハウジング素子（２）へ固定する方法であり、
前記ハウジング素子を前記エンベロプ内にスライドさせるステップと、
前記エンベロプを前記ハウジングへクリップするステップと、
前記エンベロプを前記ハウジングへねじ留めするステップと、
を有することを特徴とする方法。
【請求項８】
単一の部分から構成されるエンベロプ（３）を一組の電子構成部品を収容するハウジング素子（２）から取り除く方法であり、
前記エンベロプを前記ハウジングからねじ抜きするステップと、
前記エンベロプを前記ハウジングから外すステップと、
前記ハウジング素子を前記エンベロプの外側にスライドさせるステップと、
を有することを特徴とする方法。
【発明の詳細な説明】
【技術分野】
【０００１】
本発明は、ハウジング及び装飾用エンベロプを含む電子デバイスに係る。
【背景技術】
【０００２】
電子デバイス、たとえばセットトップボックスのような電子デバイスは、集積回路、プロセッサ、メモリ、ファン等のような一組の電子構成部品である。電子デバイスは、概して金属製ハウジングを含み、金属製ハウジングは、全ての電子構成部品を含み且つ保護する。外部に、ハウジングは、デバイスの駆動に必要なギアを有する。ギアとは、たとえば複数のボタン、プラグ、ディスプレイである。
【０００３】
現世代のかかる電子デバイスでは、プラスチック製の装飾用箱又はケーシングが、ハウジング周りに加えられてきた。装飾用箱は、概して幾つかの部分（piece）のプラスチックでできていて、それにより金属ハウジングの各側部を覆う。各部分のプラスチックは、独立して複数のクリップ及び／又はねじでハウジングへ固定される。
【０００４】
たとえば、セットトップボックスは、幾つかのパネルでできたプラスチック製の箱によって包囲されて、それによりセットトップボックスのほとんどの側部が覆われて、且つ金属製の箱へ、金属製の箱の各側部上にある幾つかのねじを通じて固定される。
【０００５】
現在の設計では、ハウジングへのアクセスは、プラスチック製箱の撤去を要する。たとえば、修理センターでは、操作者が、ハウジングへアクセスするまえに全てのプラスチック部分を除去する必要がある。デバイスの分解及び再組立は、時間がかかり、且つ操作者が、ねじを無くしたり又はプラスチックの一部分を破壊してしまったりしたときは、余計に時間かかかる。したがって、電子デバイスを点検する際の電子デバイスの分解及び再組立を単純化することが望ましい。
【０００６】
米国特許第６５４５８７４号明細書（特許文献１）は、小型のコンピュータ構成に関し、このコンピュータ構成における構成部品は、外部コンピュータハウジング内に配置され、空間効率を最大化する一方で、引き続きアクセスが可能である。
【０００７】
米国特許出願公開第２００３／０２３３６６７号明細書（特許文献２）は、拡張可能なセットトップボックスの計測された（scaled）拡張を実装する方法及び装置に関する。
【０００８】
米国特許第４９４１８４１号明細書（特許文献３）は、情報格納システムにおいて取り除きが可能な情報格納デバイスに提供されるアダプタに関する。
【０００９】
米国特許６３０１１０３号明細書（特許文献４）は、モジューラ設計を有する外部ケーシングに関し、外部ケーシングは、種々のハードウェア周辺部を内部区画室に入れるためのものである。
【００１０】
米国特許出願公開２００５／００９４３８０号明細書（特許文献５）は、電気機器に関し、電気機器へマウントされているシャーシにおいて、電子部品が、ねじを用いることなくキャビネットの底部に簡単にマウントでき且つ簡単に分解できる。
【特許文献１】米国特許第６５４５８７４号明細書
【特許文献２】米国特許出願公開第２００３／０２３３６６７号明細書
【特許文献３】米国特許第４９４１８４１号明細書
【特許文献４】米国特許６３０１１０３号明細書
【特許文献５】米国特許出願公開２００５／００９４３８０号明細書
【発明の開示】
【発明が解決しようとする課題】
【００１１】
本発明は、ハウジング及び装飾用エンベロプを含む電子デバイスにおいて、ハウジングへ容易に組み立てられるエンベロプを提供することを目的とする。
【課題を解決するための手段】
【００１２】
この目的を達成するために、本発明は、電子デバイスに係り、電子デバイスは、一組の電子構成部品を収容するハウジング素子を有し、ハウジング素子は、上部パネル、底部パネル、正面パネル、背面パネル、側部パネルを含む。電子デバイスはまた、ハウジングを包囲し且つハウジングへ固定される装飾用エンベロプを含む。エンベロプは、ハウジングへ締結されるまえに単一の部分を形成するよう組み立てられる手段、及びエンベロプをハウジングへ締結するクリップ手段を有する。
【００１３】
全ての電子構成部品が所定の位置にある完成されたハウジングを有することは、電子ユニットが、外部エンベロプを組み立てるまえに十分にテストできることを意味する。このことは、装飾用フェースのマーキングの可能性を低減させる一助となる。
【００１４】
好ましくは、クリッピング手段は、エンベロプの少なくとも１つのクリップをマウントするためのハウジングの底部パネル上にある少なくとも１つのスロット構成、及びエンベロプの少なくとも１つのクリップをマウントするためのハウジングの上部パネル上にある少なくとも１つのスロット構成を含む。
【００１５】
一実施形態によれば、ハウジングは、ねじ穴を含み、エンベロプも、ねじ穴を含み、且つ上記複数のねじ穴は、エンベロプがハウジングへクリップされたとき互いに面する。
【００１６】
好ましくは、エンベロプは、上部パネル、底部パネル、正面パネル、背面パネル、側面パネルを含むので、上記エンベロプは、ハウジングの正面パネル、上部パネル、及び側面パネルのみを包囲する。
【００１７】
一実施形態によれば、電子デバイスは、セットトップボックスである。
【００１８】
本発明はまた、装飾用エンベロプにも関し、当該装飾用エンベロプは、一組の電子構成部品を収容するためのハウジング素子を包囲し、且つ当該ハウジングへ固定されるよう意図される。エンベロプは、ハウジングへ締結されているクリッピング手段、及びエンベロプがハウジングへ締結されるまえにエンベロプが単一の部分を形成するよう組み立てられている手段を含む。
【００１９】
本発明はまた、単一の部分から構成されるエンベロプを、一組の電子構成部品を収容するハウジング素子へ固定する方法にも関する。本方法は、以下のステップを含む。すなわち、ハウジング素子をエンベロプ内にスライドさせるステップ、エンベロプをハウジングへクリップするステップ、及びエンベロプをハウジングへねじ留めするステップである。
【００２０】
本発明はまた、単一の部分から構成されるエンベロプを、一組の電子構成部品を収容するハウジング素子から取り除く方法にも関する。本方法は、ハウジングからエンベロプのねじ抜きをするステップ、ハウジングからエンベロプを外すステップ、及びハウジング素子をエンベロプの外側にスライドさせるステップである。
【００２１】
本発明は、次に説明されるが限定的ではない以下の実施形態の手段によって、添付の図面を参照しながらよりよく理解され且つ例示されるであろう。
【発明を実施するための最良の形態】
【００２２】
図１は、電子デバイス１の好ましい実施形態の平面図である。電子デバイス１は、セットトップボックステレビジョン受信器である。好ましい実施形態において、電子デバイス１は、移動可能な物体である。すなわち、電子デバイス１は、容易に一つの場所から別の場所へ移動できる。電子デバイス１は、別のデバイスへ固定されていない。
【００２３】
電子デバイス１は、図２において示すように、好ましくは金属でできたハウジング２、及びエンベロプ３を含む。
【００２４】
ハウジング２は、電子デバイスの電子機器（図示せず）を含む平行六面体の箱である。電子機器は、たとえばハードドライブ、複数のファン、プロセッサ、及び複数の集積回路等である。ハウジング２は、電子機器を安全に保護する。ハウジング２は、電磁適合性を確実にするよう、金属でできている。ハウジング２は、別の材料が電磁適合性を確実にする場合又はかかる要求がない場合、金属とは別の材料でできていてもよく、たとえばプラスチックでできていてもよい。
【００２５】
エンベロプ３は、要求された設計を達成するため、好ましくはプラスチックでできている。エンベロプ３は、ハウジング２へ固定される単一のユニットである。
【００２６】
一実施形態において、エンベロプ３は、合わせて取り付けられた幾つかのプラスチック素子でできている。全ての素子が、合わさって単一のセットを形成したとき、エンベロプ３は、次にハウジング２へ固定される。
【００２７】
図２及び図３に示されるように、ハウジング２は、上部パネル２０、底部パネル２３、正面パネル２１、背面パネル２４、左パネル２５及び右パネル２２を含む。エンベロプ３は、上部パネル３０、底部パネル３３、正面パネル３１、背面パネル３４、左パネル３５及び右パネル３２を含む。
【００２８】
好ましい実施形態において、エンベロプ３は、好ましくは、ハウジング２の正面パネル２１、上部パネル２０、左パネル２５及び右パネル２２のみを包囲する。エンベロプ３は、ハウジング２の底部パネル２３及び背面パネル２４を覆うことはない。プラスチック製エンベロプの主要目的は、審美的なものであるため、これらのパネルを覆う必要はない。ハウジング２の底部パネル２３及び背面パネル２４は、デバイスが作業環境に置かれたとき、使用者には直ぐに認識されない。
【００２９】
エンベロプ３は、クリッピング手段を含む。好ましい実施形態において、エンベロプ３は、図２、３及び４に示されるように幾つかのクリップでハウジング２へ固定される。このことは、エンベロプ３及びハウジング２を合わせて保持することを可能にする。
【００３０】
エンベロプ３は、底部パネル３３上に３つのクリップ８を含む。ハウジング２は、３つのスロット構成７を含む。スロット構成７は、エンベロプ３の複数のクリップへ取り付けられるためにある。
【００３１】
エンベロプ３はまた、上部パネル３０の下に４つのクリップ９を含み、且つハウジング２は、４つのスロット５を含む。４つのスロット５は、４つのクリップ９をマウントするためにある。
【００３２】
別の実施形態において、エンベロプ３は、レールシステム（図示せず）でハウジング２へ固定される。ハウジング２は、エンベロプの右パネル及び左パネルの内側に位置している２つのレール間を通ってエンベロプ３の中へとスライドし、ハウジング２の正面パネル２１が、エンベロプ３の正面パネル３１の内側に対して載置されるまでスライドする。
【００３３】
エンベロプ３は、ねじ穴６を含み、且つハウジング２は、ねじ穴４を含む。エンベロプ３がハウジング上にクリップされるとき、ねじ穴４及び６は、互いに面する。
【００３４】
エンベロプ３をハウジング２へ固定するのに必要とされるねじは、１本のみである。ねじは、主に安全のために用いられる。何故なら、エンベロプ３及びハウジング２は、既に且つ十分にクリッピング手段で取り付けられているからである。掛け金手段が壊れた場合、ねじは、エンベロプ３をハウジングへ取り付けられた状態に保つことを可能にする。
【００３５】
更に、エンベロプ３が合わせて取り付けられた幾つかのプラスチック素子でできているとき、ねじは、エンベロプ３のハウジング２への固定の際、全てのプラスチック素子を合わせた締結を確保することを可能にする。
【００３６】
クリップシステムと単一のねじとともに、エンベロプ３は、その後容易にハウジングへ取り付けられ且つハウジングから取り除かれる。
【００３７】
エンベロプ３をハウジング２へ取り付ける方法は、以下の通りである。まず、ハウジング２は、エンベロプの背面パネルから正面パネルへとエンベロプ３の中にスライドする。次に、エンベロプ３は、ハウジング２上にクリップされる。最後に、エンベロプ３のねじ穴６が、ハウジング２のねじ穴４に面しているので、エンベロプ３は、ハウジング２へねじ留めされる。
【００３８】
エンベロプ３をハウジング２から取り除くための第１のステップが、エンベロプ３をハウジング２からねじ抜きする（unscrew）ことである。次に、エンベロプ３の複数のクリップを、ハウジング２の複数のスロットから外す（unclip）必要がある。
【産業上の利用可能性】
【００３９】
本実施形態は、セットトップボックスへ適用する。本実施形態はまた、同種の作動環境において動作する如何なるデバイスにも適用可能である。本実施形態は、ハウジングを有する如何なるデバイスへ適用可能であり、ハウジングは、装飾用エンベロプによって包囲された一組の電子ギアを収容するためのものである。かかるデバイスの幾つかの例は、ビデオプレーヤ、ビデオレコーダ、オーディオユニットである。
【図面の簡単な説明】
【００４０】
【図１】本実施形態に準拠した電子デバイスの図である。
【図２】本実施形態に準拠したエンベロプ及びハウジングの底面図である。
【図３】本実施形態に準拠したエンベロプ及びハウジングの平面図である。
【図４】エンベロプの底面図である。
【符号の説明】
【００４１】
１          電子デバイス
２          ハウジング
３          エンベロプ
４、６      ねじ穴
５          スロット
７          スロット構成
８、９      クリップ
２０、３０  上部パネル
２１、３１  正面パネル
２２、３２  右パネル
２３、３３  底部パネル
２４、３４  背面パネル
２５、３５  左パネル
【図１】
2007142434.tif 000003
【図２】
2007142434.tif 000004
【図３】
2007142434.tif 000005
【図４】
2007142434.tif 000006